(57)【特許請求の範囲】
【請求項１】
長方形の床面と、
前記長方形の長辺に設けられた側壁と
前記長方形の短辺に設けられた妻壁と、
前記床面を覆う屋根と、
前記側壁間の長手方向に配置された複数の暖房機と、
前記側壁に前記暖房機を挟んで設けられた少なくとも一対の熱交換器を複数備え、
前記熱交換器は、箱形形状で、
前記側壁側の上部に外気を熱交換素子を介して鶏舎内に吹き出す外気吹出口と、
前記外気吹出口の下方で前記床面より上に鶏舎内の内気を吸い込む内気吸引口と、
前記側壁と反対側に、前記外気を吸い込む外気吸引口と、
前記内気を前記熱交換素子を介して鶏舎外に放出する内気排出口を
有することを特徴とする鶏舎。
【請求項２】
前記内気吸引口は、高さが可変できることを特徴とする請求項１に記載された鶏舎。
【請求項３】
前記外気吹出口は、前記暖房機より上に配置されていることを特徴とする請求項１または２のいずれかの請求項に記載された鶏舎。
【請求項４】
前記熱交換素子は顕熱交換素子および全熱交換素子の両方を有することを特徴とする請求項１乃至３のいずれか一の請求項に記載された鶏舎。
【請求項５】
前記熱交換器の組数は、前記暖房機の台数より多いことを特徴とする請求項１乃至４のいずれか一の請求項に記載された鶏舎。
【請求項６】
前記熱交換器の前記内気吸引口の高さを移動させる移動手段と、
入雛日からの経過時間に応じて前記移動手段に前記内気吸引口の高さの指示を送信する制御装置を有することを特徴とする請求項２乃至５のいずれか一の請求項に記載された鶏舎。
【発明の詳細な説明】
【技術分野】
【０００１】
本発明はブロイラーを飼育する鶏舎に関するものである。
【背景技術】
【０００２】
ブロイラーは、特に日齢の浅い時期の環境状態が最終的な成長の大きさを左右する。したがって、鶏舎内の温度といった環境を飼育日数に応じて細かく管理する必要がある。例えば、鶏舎外の温度がその時の日齢のブロイラーにとって必要とされる温度より低い場合は、ガスブルーダー等の暖房機によって、鶏舎内の温度を所定の温度に維持しなければならない。
【０００３】
一方、外気温度が低い寒冷期においても、鶏舎内の空気質を改善するために、日齢に応じた最低風量で換気を行う必要がある。なお、ここで空気質とは、空気中の酸素濃度、二酸化炭素濃度、一酸化炭素濃度、アンモニア濃度、粉塵濃度といった、空気中の各成分の濃度をいう。
【０００４】
鶏舎の換気には、鶏舎の構造に応じた、自然換気と強制換気があり、本発明の対象とする鶏舎はウィンドレス鶏舎で、従来から、換気扇を使用した強制換気が行われている。従来のウィンドレス鶏舎の換気は、エアインレットから外気を導入し、換気扇により舎内の空気を排出していた。したがって、鶏舎内の温度管理および換気管理は、暖房機の運転・停止と、換気扇の運転・停止によって行われていた。以下では、ウィンドレス鶏舎を鶏舎と略して説明する。
【０００５】
つまり、寒冷期の外気温度が低い場合であっても、換気のために外気を鶏舎内に導入する。しかし、冷たい外気の導入によって鶏舎内の温度は急激に低下する。そこで、換気量を減らすことが行われる。これは、鶏舎内の空気質を劣化させる原因となる。
【０００６】
一方、冷たい外気を導入しても鶏舎内の温度が低下しないようにするためには、ブルーダーの設置数を増やさなければならない。これは、初期投資やガス等の燃料費が高額になり、好ましくない。
【０００７】
また、妻壁に設けられた換気扇で排気すると、鶏舎の長手方向に換気風が生じる。このような換気風は風上と風下で温度や空気質に差が生じやすい。また鶏舎の長手方向の中心側と壁側では風速に差が生じる。
【０００８】
このような課題を解決する方法として、熱交換器を使用した畜舎の換気装置が提案されている（特許文献１）。特許文献１では、熱交換器１台を畜舎に設置し、外気を取り入れる際に、畜舎内の空気と熱交換させる。熱交換により昇温した外気（舎内温度より低い温度）は、畜舎の上部に布設された給気ダクトによって下方に向けて吹き出させる。
【０００９】
また近年では、飼育日数に応じた最低風量のうち、最大風量を満足する大型の熱交換器１台を使用し、取り込まれた外気は畜舎内の空気と熱交換され、畜舎壁面から舎内に吹き出し、循環扇によって舎内を循環させる方法も知られている。
【先行技術文献】
【特許文献】
【００１０】
【特許文献１】実公昭６１−００４１６６号公報
【発明の概要】
【発明が解決しようとする課題】
【００１１】
特許文献１の方法は、給気ダクトを用いているので、必要とされる風量以上にダクトの圧力損失を考慮したファン駆動力が必要となる。また、特許文献１の方法を鶏舎に適用すると、給気ダクトにより下方に向けて熱交換により昇温した外気を吹き出すため、換羽していないブロイラーの雛にも舎内温度より低い温度の風が直接当たる。これは、雛の成育に悪影響を及ぼす。特に１４日齢までの雛に冷風を当てると、成長した際の体重が減る。
【００１２】
また、上記に説明した大型の熱交換器を用いる場合では、換気量が小さい場合には、給排気の風量を下げて運転するため、吹き出し風量が低下し、循環扇を用いても均一な温熱環境を得ることはできない。さらに、入排気が一か所になるため、舎内で飼育ゾーンをビニールカーテン等で仕切ることができず、省エネルギーの観点から好ましくない。
【課題を解決するための手段】
【００１３】
本発明は上記の課題に鑑みて想到されたものであり、複数の熱交換器を側壁に分散して配置することで、給気にダクトを使用せず、また吹き出し風がブロイラーの雛の育成に悪影響を及ぼさず、さらに舎内の必要なゾーンに効率的に均一な温熱環境を提供することができるブロイラーの鶏舎を提供するものである。
【００１４】
より具体的に本発明に係る鶏舎は、
長方形の床面と、
前記長方形の長辺に設けられた側壁と
前記長方形の短辺に設けられた妻壁と、
前記床面を覆う屋根と、
前記側壁間の長手方向に配置された複数の暖房機と、
前記側壁に前記暖房機を挟んで設けられた少なくとも一対の熱交換器を複数備え、
前記熱交換器は、箱形形状で、
前記側壁側の上部に外気を熱交換素子を介して鶏舎内に吹き出す外気吹出口と、
前記外気吹出口の下方で前記床面より上に鶏舎内の内気を吸い込む内気吸引口と、
前記側壁と反対側に、前記外気を吸い込む外気吸引口と、
前記内気を前記熱交換素子を介して鶏舎外に放出する内気排出口を
有することを特徴とする。
【発明の効果】
【００１５】
本発明は、暖房機を挟んで鶏舎の側壁に熱交換器を配置したので、熱交換によって暖められた外気が鶏舎中央でぶつかり合い、暖房機からの暖気と共に循環流を生じさせ、床面付近の換気と温度維持を行うことができる。
【００１６】
また、側壁からの空気の流れなので、トンネル換気のように鶏舎の長さ方向で空気質や温度の不均一が生じにくい。したがって、鶏舎から出荷する際の個体差が少ない育成が可能となる。
【００１７】
また、日齢に応じて鶏舎内からの内気吸引口の高さを調整するので、換羽までの雛に風の影響を与えることを抑制することができ、成鳥になった際は下方に滞留した汚れた空気を効率よく換気することができる。換羽までの雛は、風の影響により、採食や飲水量が低下するとともに、増体でなく熱生産にエネルギーを消費してしまうからである。
【図面の簡単な説明】
【００１８】
【図１】本発明に係る鶏舎の透視斜視図と平面図を示す図である。
【図２】熱交換器の構成を示す図である。
【図３】熱交換器の配置を説明する図である。
【図４】熱交換器の配置を説明する図である。
【図５】制御装置の接続関係を示す図である。
【図６】鶏舎内の空気の流れを示す図である。
【発明を実施するための形態】
【００１９】
以下に本発明に係る鶏舎について図を参照しながら説明する。なお、以下の説明は本発明に係る鶏舎の一実施形態を例示するものであり、本発明は以下の説明に限定されるものではない。以下の実施形態は本発明の趣旨を逸脱しない限りにおいて改変することができる。
【００２０】
図１に本発明に係る鶏舎１の透視斜視図（図１（ａ））と平面図（図１（ｂ））を示す。本発明に係る鶏舎１は、長方形の床面２と、長辺に沿って設けられた側壁３ａ、３ｂと、短辺に沿って設けられた妻壁４ａ、４ｂと、屋根５を有する。鶏舎１内には、床面２の中心線２ａに沿って、暖房機１０（「ブルーダー」とも呼ぶ。）が設置されている。暖房機１０は、床面２に直置きされていてもよいし、天井から一定の高さに懸架されていてもよい。各暖房機１０の間隔１０Ｌはおおよそ等しい。暖房機１０は鶏舎１内の温度を一定に保つために置かれ、床面２の任意の位置での温度が一定になるようにするのが望ましいからである。
【００２１】
したがって、側壁３ａ、３ｂ間の距離３Ｌは、ちょうど中央に暖房機１０が置かれたときに、壁際まで暖房機１０の効き目が届く程度の距離に設置するのが望ましい。
【００２２】
少なくとも一方の妻壁４ａには、換気扇１２が設けられていてもよい。他方の妻壁４ｂは、同じく換気扇１２若しくは網戸のような通気可能であって、開閉可能な扉１３が設けられている。
【００２３】
互いに対向する側壁３ａ、３ｂには、箱形形状の熱交換器１４が暖房機１０を挟んでそれぞれ対向して設けられている。図２に熱交換器１４の簡単な構成を示す。なお、以下の説明では、側壁３ａについて説明するが、側壁３ｂについても同様である。熱交換器１４は、熱交換素子１４ａと、鶏舎１内の空気を鶏舎１外に排出する排気系の風路１４ｏと、鶏舎１外の空気を鶏舎１内に取り込む給気系の風路１４ｉで構成される。熱交換素子１４ａは、排気系の風路１４ｏと給気系の風路１４ｉを近接させ排気系の空気の熱量を給気系の空気に与える（顕熱交換）。若しくは、排気系の空気の湿度も給気系の空気に与える（全熱交換）。
【００２４】
熱交換素子１４ａは、顕熱交換素子と全熱交換素子を共に内蔵しており、外部からの指示によって切り替えることができるものが最も望ましい。なお、顕熱交換素子で運転する場合を顕熱運転とよび、全熱交換素子で運転する場合を全熱運転と呼ぶ。
【００２５】
熱交換器１４の排気系は、鶏舎１内の空気を取り込む内気吸引口１４ｏｉが、内側壁３ａｉの下方に設けられている。また、排気系の空気の出口である内気排出口１４ｏｏは、外側壁３ａｏの下方に設けられている。鶏舎１内から排出される空気には、アンモニアといった臭気成分や二酸化炭素といった成分が含まれているが、これらは空気より重いので、側壁３ａ下方に設けることで、再び鶏舎１内に取り込まれにくくするためである。
【００２６】
また、排気系の風路１４ｏの途中には、ファン１４ｏｆが設けられており、鶏舎１内から鶏舎１外へと空気の流れを生み出す。排気系において、空気は、内気吸引口１４ｏｉから風路１４ｏを通じて熱交換素子１４ａに至り、熱交換素子１４ａから内気排出口１４ｏｏに送り出され、鶏舎１外に排出される。
【００２７】
熱交換器１４の給気系は、鶏舎１の外の空気を取り込む外気吸引口１４ｉｉが外側壁３ａｏ上方に設けられている。また、外気を鶏舎１内に吹き出す外気吹出口１４ｉｏは内側壁３ａｉの上方に設けられている。給気系の風路１４ｉの途中にもファン１４ｉｆが設けられており、鶏舎１外から鶏舎１内に向かって空気の流れを生み出す。給気系において、空気は、外気吸引口１４ｉｉから熱交換素子１４ａに至り、そこから鶏舎１内の外気吹出口１４ｉｏに送り出され、鶏舎１内に吹き出される。
【００２８】
外気吹出口１４ｉｏは、暖房機１０より上方に設けられる。暖房機１０からの上昇する暖気に対して上方から暖気より温度の低い外気を当て、暖気を床面方向に向かわせるためである。
【００２９】
排気系の内気吸引口１４ｏｉは上下に移動可能に設けられている。日齢の浅い１４日齢までは内気吸引口１４ｏｉを１ｍ程度の高さに配置することで、雛に吸引風の影響を与えないようにすることができる。また、１４日齢以降は内気吸引口１４ｏｉを５０ｃｍ程度の高さに配置することで、下方に滞留した汚れた空気を効率よく換気することができる。
【００３０】
内気吸引口１４ｏｉの移動は、手動で行ってもよい。ここでは、後述する制御装置３０によって、内気吸引口１４ｏｉを上下に移動させることのできる移動手段１４ｄが設けられているとして説明を続ける。
【００３１】
なお、移動手段１４ｄとしては、例えば内気吸引口１４ｏｉを吊りあげ支持するチェーン１４ｓと、チェーン１４ｓの巻き取り繰り出しを行うモータ１４ｍで構成することができる。内気吸引口１４ｏｉは、熱交換素子１４ａまでの風路１４ｏが伸縮自在若しくは変形可能に構成されている。図では蛇腹部１４ｏｊが伸縮自在を可能にする例を示す。内気吸引口１４ｏｉは、チェーン１４ｓで懸架されている。チェーン１４ｓは熱交換器１４内に固定された滑車１４ｄｗを介してモータ１４ｍの回転軸に連結されている。
【００３２】
したがって、モータ１４ｍの回転軸の回転によって、チェーン１４ｓの巻き取り・繰り出しが行われる。このチェーン１４ｓの巻き取り・繰り出しによって内気吸引口１４ｏｉが上下する。モータ１４ｍの回転は後述する制御装置３０の指示によって行われる。なお、このような構成以外の構成であっても、内気吸引口１４ｏｉの位置が変更できればよい。
【００３３】
図３を参照する。図３（ａ）は鶏舎１の平面図である。床面２の短辺（妻壁４ａ、４ｂが設けられている辺）の中心線２ａ上に側壁３ａ、３ｂに沿って暖房機１０が配置される。図３では、７個の暖房機１０が備えられている例を示している。外気温度が低い場合に鶏舎１内の温度をあげるためである。換羽したブロイラーはある程度の低温（１６〜１８℃）には耐えることができるが、換羽する前の、特に日齢が１０日未満の雛は、低温に弱い。したがって、鶏舎１内は雛の日齢によって、一定の温度に保持する必要がある。
【００３４】
暖房機１０からの熱は、暖房機１０からの距離が長くなるにしたがい、届きにくくなる。したがって、暖房機１０には、暖房できる範囲がある。複数の暖房機１０を配置する際には、各暖房機１０間で暖房効果が途切れる空間を作らない方が好ましい。したがって、図３（ａ）に示すように、暖房機１０は、床面２の短辺の中心線上２ａに沿って等間隔に配置するのがよい。
【００３５】
各暖房機１０間の間隔１０Ｌは、鶏舎１の広さと暖房機１０の能力によって適宜決定される設計事項であってよい。
【００３６】
なお、側壁間の距離３Ｌが長く、短辺の中心線２ａ上に暖房機１０を配置したのでは、側壁の付近に暖気が届かない場合は、短辺の３等分線や４等分線等に沿って暖房機１０を配置してもよい。特に本発明の鶏舎１においては、暖められた鶏舎１内の空気と冷たい鶏舎１外の空気との間で熱交換を行い、熱交換の結果暖められた外気を鶏舎１内に吹き出す。そして、熱交換器１４の鶏舎１内の空気を取り込む内気吸引口１４ｏｉは内側壁３ａｉ、３ｂｉに設けられる。したがって、内側壁３ａｉ、３ｂｉ周辺まで暖房機１０の暖気が届いているのが望ましい。図３（ｂ）には、短辺の３等分線２ｂ上に暖房機１０を配置した例を示す。
【００３７】
一方、熱交換器１４は暖房機１０を挟んで図３（ａ）の両側壁３ａ、３ｂに一対ずつ設けられる。このような配置で、熱交換器１４を運転すると、妻壁４ａ、４ｂ間の距離４Ｌよりも短い距離の側壁３ａ、３ｂ間で空気の流れが生じる。したがって、妻壁４ａ、４ｂに設けられた換気扇１２によって鶏舎１内を換気するトンネル換気のように、場所によって、温度や風速に差が出来やすいという問題が生じにくい。
【００３８】
熱交換器１４の配置は少なくとも、暖房機１０を挟んで一対ずつ配置されるのがよいが、一対ずつに限定されるものではない。ここで、暖房機１０を挟んで設けられた一対の熱交換器を「一組」と呼ぶ。一組の熱交換器１４は左右の側壁３ａ、３ｂに１台ずつ対向して設けられているので、一組の熱交換器１４といえば、２台の熱交換器１４で構成される。
【００３９】
したがって、暖房機１０ごとに一組の熱交換器１４を配置した場合は、暖房機１０の台数と熱交換器１４の組数は等しい。これは、２台の暖房機１０間に２組の熱交換器１４が配置されているといってよい。１台の暖房機１０に対して熱交換器１４が一組に限定されないとは、２台の暖房機１０間に２組以上の熱交換器１４が配置されている場合を許すということである。
【００４０】
図４（ａ）はこの例を示す。２台の暖房機１０−１、１０−２間に３組の熱交換器１４−１，１４−２，１４−３が設けられている。図４（ａ）の例で、一対の熱交換器１４−２は、暖房機１０を互いのちょうど真ん中において対向する位置には設けられていない。しかし、熱交換器１４−１および１４−３は暖房機１０を互いの真ん中に置いて対向する位置に設けられている。したがって、このような配置であってもよい。
【００４１】
なお、暖房機１０を互いの真ん中に置いた位置で得られる暖気と同じ温度の暖気を得られるのであれば、熱交換器１４の位置はずらしてもよい。この例を図４（ｂ）に示した。熱交換器１４−５と１４−６は、暖房機１０を真ん中に置いた位置Ｐ１からずれている。しかし、Ｐ１の位置に十分に近く、またＰ１からの距離Ｌａも互いに同じである。したがって、熱交換のために得られる熱量はどちらの熱交換器１４でも同じである。
【００４２】
つまり、これらの熱交換器１４−５、１４−６は、暖房機１０をちょうど真ん中に置いて対向した場合とほぼ同じ暖気を得ることができる。したがって、暖房機１０を挟んで対向するとは、図４（ｂ）の１４−５や１４−６の配置（いずれか一方だけでもよい。）も含める。
【００４３】
また、図示はしないが、図４（ｂ）で熱交換器１４−５、１４−６の間隔を広げ、熱交換器を側壁３ａ、３ｂに等間隔に配置し、暖房機１０を挟んで斜めに対向させてもよい。この場合、熱交換器１４から暖房機１０に向かって吹き出すよう外気吹出口１４ｉｏの吹き出し方向を斜めにすることにより、図４（ａ）（ｂ）と同様の効果が得られる。
【００４４】
以上のように、本発明に係る鶏舎１において、暖房機１０を挟んで一対の熱交換器１４が設けられているとは、暖房機１０を真ん中に置いた位置で得られる暖気が得られる範囲内で、位置がずれてもよい。
【００４５】
なお、１台の暖房機１０について、一組以上の熱交換器１４がこのような位置に配置されていればよく、それ以外の場所に熱交換器の組が配置されることを排除しない。例えば、図４（ａ）では、熱交換器１４−１０は、暖房機１０から離れて配置されているので、暖房機１０を真ん中に置いた位置で得られるのと同じ暖気を得ることはできない。しかし、熱交換器１４−１や１４−３が暖房機１０を挟んで設けられる位置に配置されているので、図４（ａ）のような配置でも本発明に係る鶏舎１といえる。
【００４６】
再び図１（ｂ）を参照する。本発明に係る鶏舎１では、制御装置３０が設けられていてもよい。鶏舎１には、外部の気温・湿度を測定する外気温度計１６ａと外気湿度計１６ｂおよび、鶏舎１内の温湿度を測定する舎内温度計１８ａと、舎内湿度計１８ｂといったセンサが設けられている。制御装置３０は、これらのセンサ類と接続されており、それぞれ外気温度Ｔｏ、外気湿度Ｈｏ、舎内温度Ｔｉ、舎内湿度Ｈｉを検知することができる。
【００４７】
図５には、制御装置３０とこれらのセンサとの接続関係を示す。制御装置３０は、外気温度計１６ａと外気湿度計１６ｂおよび、舎内温度計１８ａと、舎内湿度計１８ｂと接続されるだけでなく、換気扇１２、熱交換器１４及び暖房機１０と接続されていてもよい。したがって、制御装置３０は、熱交換器１４の排気量と外からの空気の鶏舎１内への給気量、顕熱運転若しくは全熱運転、そして内気吸引口１４ｏｉの高さを調整する移動手段１４ｄを制御することができる。
【００４８】
また、暖房機１０の運転温度も調節することができる。制御装置３０は、さらに、制御装置３０を操作するための操作部３１と、制御装置３０が検知しているデータや運転状態等を表示する表示部３２と、内部にタイマ３０Ｔが備えられている。なお、制御装置３０は、暖房機１０および熱交換器１４は個々の機械を別々に制御できるように構成されている。
【００４９】
以上の構成を有する鶏舎１の動作について説明する。ブロイラーは初生雛を受け入れたら、制御装置３０のタイマ３０Ｔをスタートさせる。なお、鶏舎１内は初生雛を受け入れる際（入雛日）には、すでに日齢ゼロ日の雛のための温度環境に設定されている。日齢ゼロの雛では、約３０℃の温度に設定する必要がある。また、制御装置３０は、暖房機１０の運転温度を調節し、内気吸引口１４ｏｉの高さを雛の頭より上、床面２より１ｍ程度の高さに設定する。
【００５０】
図６（ａ）は妻壁４ａに平行な面で切った鶏舎１の断面である。内気吸引口１４ｏｉは鶏舎１内の空気を外部に排出するために吸い込む。つまり、内気吸引口１４ｏｉの付近には空気の流れが発生する。適切な換気を行うためには、ある程度の風量の空気の流れ（風）を作る必要がある。しかし、雛に風の影響を与えるのは好ましくない。そこで、雛の頭より離れた上方に内気吸引口１４ｏｉを配置することで、風の流れに雛が曝されないようにする。
【００５１】
換羽は１４日齢ごろから始まり、３５日齢ごろには、終了する。したがって、制御装置３０は、日齢に合わせて内気吸引口１４ｏｉの床面２からの高さｈを１４日齢まで１ｍ程度とし、１４日齢以降３５日齢まで、少しずつ低く移動させる。３５日齢ごろまでは、ブロイラーに内気吸引口１４ｏｉへ吸い込まれる空気の流れの影響を与えないようにする。なお、換羽後も、内気吸引口１４ｏｉへ吸い込まれる空気の流れがブロイラーに直接当たらないように内気吸引口１４ｏｉの高さを５０ｃｍ程度に設定する。
【００５２】
成長したブロイラーは多くの酸素が必要であるし、体内の熱量や水分も多くなり、排出物の量も増えるので、効率よく換気をする必要があるため、風が直接当たらない最低の高さとしている。なお、内気吸引口１４ｏｉの床面２からの高さｈの数値は、ブロイラーの様子を見ながら設定するのが好ましい。
【００５３】
外気吹出口１４ｉｏは、暖房機１０の上方に配置されている。この外気吹出口１４ｉｏからの空気は、鶏舎１内の空気との間で熱交換がされており、外気温度より高い温度になっている。しかし、鶏舎１内の温度と外気温度の差が大きい場合は、鶏舎１内温度より低い空気が鶏舎内に吹き出される。この冷たくて重い空気を暖房機１０の上方から当てることで、暖房機１０からの暖気を床面方向に押えこみ、長く滞留させる。
【００５４】
これは、熱交換器１０が両側壁３ａ、３ｂに対向して設置してあるので、外気吹出口１４ｉｏから放出された外気が暖房機１０の上方でぶつかり合って下方に向い、暖房機１０からの暖気の上昇を妨げるからである。また、冷たい空気を暖気上方から当てることで、冷たい空気と暖気が混合された空気は暖気の温度が下がるため、床面へ向かう下降流となる。結果、鶏舎１の高さ方向に循環流が形成される。このようにして、熱交換器１４を一対に対向させて配置することで、鶏舎１内の床面２近くの温度を効果的に暖めることができる。
【００５５】
雛の日齢が若いうちは、湿度も重要な管理項目としてあげられる。７日齢までは、７０％程度の高い湿度が必要とされている。この時期は舎内温度Ｔｉも高くする必要があり、空気中の水分量としては多い。冬季の外気温度は低く乾燥しているので、熱量だけを交換し、鶏舎１内の水分は鶏舎１外に捨ててしまっては、鶏舎１内の湿度が下がり過ぎるおそれがある。
【００５６】
一方、夏季の高温多湿の環境の場合は、鶏舎１内の温度と湿度を下げる必要がある。したがって、制御装置３０は、外気温度Ｔｏと外気湿度Ｈｏおよび舎内温度Ｔｉと舎内湿度Ｈｉを検知し、熱交換器１４の運転状態を全熱運転と顕熱運転の間で切り替える。
【００５７】
さらに、ブロイラーの日齢に応じた切り替えを行ってもよい。例えば、日齢が浅く外気温度Ｔｏが低い場合は、全熱運転を行い水分の放出を抑制する。また、日齢が多く、舎内温度Ｔｉが外気温度Ｔｏより高い場合などは、顕熱運転を行い、空気中の水分は排出し、舎内湿度Ｈｉは下げるといった制御を制御装置３０は行う。
【００５８】
図６（ｂ）は、鶏舎１の平面図である。上記のように暖房機１０を挟んで配置された一対の熱交換器１４を動作させると、互いの熱交換器１４からの吹き出し風が暖房機１０の上空でぶつかり合い、平面方向にも広がる。つまり、熱交換器１４を対向させて運転することで、図６（ａ）のように、高さ方向での空気の循環が起こると同時に平面方向にも循環流ができる。したがって、循環扇やサーキュレータといった設備は不要となる。
【００５９】
また、側壁３ａ、３ｂ間での換気は次のような効果もある。鶏舎は成鳥になった時に、適当な密度になるように、受け入れ数が決まる。したがって、日齢が若いうちは、鶏舎全体を使用するわけではない。このような場合に、鶏舎をいくつかの区分に分けることがある。
【００６０】
再び図１（ｂ）を参照して、ここでは左から３つめのブロックを日齢の浅い雛のために使用する飼育ゾーンＢｚであるとする。本発明に係る鶏舎１は、この飼育ゾーンＢｚに配置されている３台の暖房機１０ｚと、３組の熱交換器１４ｚを利用することで、この飼育ゾーンＢｚだけを所定の環境に維持することができる。したがって、省エネルギーの観点からも優れている。
【００６１】
以上のように本発明に係る鶏舎１は、鶏舎１内に設けられた暖房機１０を挟んで、側壁３ａ、３ｂに少なくとも一対の熱交換器１４を配置したので、鶏舎１内の換気の不均一が生じにくく、また鶏舎１内の温度・湿度も均一に維持することができる。
【産業上の利用可能性】
【００６２】
本発明に係る鶏舎はブロイラーの育成用設備として好適に利用することができる。
【符号の説明】
【００６３】
１  鶏舎
２  床面
３ａ、３ｂ  側壁
３ａｉ、３ｂｉ  内側壁
３ａｏ  外側壁
３Ｌ  側壁３ａ、３ｂ間の距離
４ａ、４ｂ  妻壁
４Ｌ  妻壁４ａ、４ｂ間の距離
５  屋根
２ａ  床面２の中心線
１０  暖房機
１０Ｌ  各暖房機１０の間隔
１２  換気扇
１３  扉
１４  熱交換器
１４ａ  熱交換素子
１４ｏ  排気系の風路
１４ｉ  給気系の風路
１４ｏｉ  内気吸引口
１４ｏｏ  内気排出口
１４ｏｆ  排気系の風路１４ｏの途中のファン
１４ｉｉ  外気吸引口
１４ｉｏ  外気吹出口
１４ｉｆ  給気系の風路１４ｉの途中のファン
１４ｄ  移動手段
１４ｓ  チェーン
１４ｍ  モータ
１４ｏｊ  蛇腹部
１４ｄｗ  滑車
１６ａ  外気温度計、１６ｂ  外気湿度計
１８ａ  舎内温度計、１８ｂ  舎内湿度計
Ｔｏ  外気温度、Ｈｏ  外気湿度、Ｔｉ  舎内温度、Ｈｉ  舎内湿度
３０  制御装置
３１  操作部
３２  表示部
３０Ｔ  タイマ
Ｂｚ  飼育ゾーン
【図１】
0006372708.tif 000002
【図２】
0006372708.tif 000003
【図３】
0006372708.tif 000004
【図４】
0006372708.tif 000005
【図５】
0006372708.tif 000006
【図６】
0006372708.tif 000007